(57)【要約】【課題】ＩＴＵ−Ｔ勧告Ｈ．３２３に基づく通信システムにおいて、状態ずれのない移動端末の移動管理方法を提供する。【解決手段】ゲートキーパ装置１０１は、登録要求受信部２０２及び位置情報管理部２０３を有している。登録要求受信部２０２は、移動端末が移動した時にゲートウェイ装置が移動端末の位置登録要求を受けて送信した登録要求を受信して位置情報管理部２０３に伝える。位置情報管理部２０３は、登録要求に含まれる移動端末のアドレスと送信したゲートウェイ装置のＩＰアドレスを関連付けて記憶しており、移動端末が移動した時にゲートウェイ装置からの登録要求を受けて、移動端末とゲートウェイ装置の情報を更新して位置情報を一元管理する。【選択図】      図２
2005026936.tif 000002
【特許請求の範囲】
【請求項１】
複数の移動端末と、前記移動端末をネットワークに接続する複数のゲートウェイ装置と、前記移動端末と前記ゲートウェイ装置のアドレスを管理するゲートキーパ装置とを具備する通信システムにおいて、前記ゲートウェイ装置は、前記移動端末からの位置登録要求を受けて前記ゲートキーパ装置に対して登録要求を行う登録要求手段を備え、前記ゲートキーパ装置は、登録要求を受信して登録要求を送信した前記ゲートウェイ装置を移動端末の移動先と認識して位置情報を更新する位置情報管理手段を備えることを特徴とする通信システム。
【請求項２】
前記ゲートウェイ装置は、前記移動端末からの位置登録要求を受けて位置登録したことを記憶する位置登録記憶手段を備え、前記ゲートキーパ装置は、前記移動端末の移動先のゲートウェイ装置からの登録要求を受けて移動元のゲートウェイ装置に対して前記位置登録記憶手段の前記移動端末の位置登録記憶の削除を指示する削除指示手段を備えることを特徴とする請求項１記載の通信システム。
【請求項３】
複数の移動端末と、前記移動端末をネットワークに接続する複数のゲートウェイ装置と、前記移動端末と前記ゲートウェイ装置のアドレスを管理するゲートキーパ装置とを具備する通信システムにおいて、前記ゲートウェイ装置は、前記移動端末からの位置登録要求を受けて前記ゲートキーパ装置に対して登録要求を行う登録要求手段と、位置登録したことを記憶する位置登録記憶手段と、前記位置登録記憶手段に記憶していない移動端末からの発信要求に応じて前記ゲートキーパ装置に対して仮の位置登録要求を行う仮位置登録要求手段とを備え、前記ゲートキーパ装置は、登録要求を受信して登録要求を送信した前記ゲートウェイ装置を移動端末の移動先と認識して位置情報を更新する位置情報管理手段と、前記位置情報管理手段が移動端末の位置情報を更新した時に移動元のゲートウェイ装置に対して前記位置登録記憶手段の前記移動端末の位置登録記憶の削除を指示する削除指示手段と、前記ゲートウェイ装置からの仮位置登録要求を受信して発信要求した移動端末の仮位置登録をする仮位置登録手段と、を備えることを特徴とする通信システム。
【請求項４】
前記ゲートキーパ装置は、前記ゲートウェイ装置からの通話終了時の離脱要求を受けて仮位置登録の削除を行う仮位置登録削除手段を備えることを特徴とする請求項３記載の通信システム。
【請求項５】
前記ゲートキーパ装置は、仮位置登録して発信した前記移動端末の通話終了時に、前記移動端末を正規に位置登録要求したゲートウェイ装置に対して再び位置登録をするよう指示を行う再位置登録指示手段を備え、前記ゲートウェイ装置は、前記再位置登録指示に応答して登録要求を行うことを特徴とする請求項３記載の通信システム。
【請求項６】
前記ゲートキーパ装置は、再位置登録指示した時に別のゲートウェイ装置からの前記移動端末の登録要求を拒否して再位置登録応答を待つことを特徴とする請求項５記載の通信システム。
【請求項７】
ゲートキーパ装置とネットワークを介して接続され、複数の移動端末をネットワークに接続するゲートウェイ装置において、前記移動端末と自装置とを区別して前記ゲートキーパ装置へ登録要求を行う登録要求手段と、前記移動端末の移動によって前記移動端末より送信される位置登録要求を受信する位置登録要求受信手段とを備え、前記登録要求手段は、位置登録要求を送信した前記移動端末のアドレスを登録要求に設定して前記ゲートキーパ装置に送信することを特徴とするゲートウェイ装置。
【請求項８】
前記位置登録要求受信手段は、位置登録したことを記憶する位置登録記憶手段を有し、前記位置登録記憶手段に記憶していない移動端末からの発信要求に応じて前記ゲートキーパ装置に対して仮の位置登録要求を行う仮位置登録要求手段を備えることを特徴とする請求項７記載のゲートウェイ装置。
【請求項９】
移動端末をネットワークに接続する複数のゲートウェイ装置とネットワークを介して接続され、前記移動端末と前記ゲートウェイ装置のアドレスを管理するゲートキーパ装置において、前記移動端末が別のゲートウェイ装置の管理下に移動した時に該ゲートウェイ装置から送信される移動端末の登録要求を受信する受信手段と、登録要求を送信した前記ゲートウェイ装置を移動端末の移動先と認識して位置情報を更新する位置情報管理手段と、を具備することを特徴とするゲートキーパ装置。
【請求項１０】
前記位置情報管理手段は、移動端末の移動先の前記ゲートウェイ装置からの登録要求を受けて移動元のゲートウェイ装置に対して前記移動端末の位置登録記憶の削除を指示する削除指示手段を備えることを特徴とする請求項９記載のゲートキーパ装置。
【請求項１１】
移動端末をネットワークに接続する複数のゲートウェイ装置とネットワークを介して接続され、前記移動端末と前記ゲートウェイ装置のアドレスを管理するゲートキーパ装置において、前記移動端末が別のゲートウェイ装置の管理下に移動した時に該ゲートウェイ装置から送信される移動端末の登録要求を受信する受信手段と、登録要求を送信した前記ゲートウェイ装置を移動端末の移動先と認識して位置情報を更新する位置情報管理手段と、前記位置情報管理手段が移動端末の位置情報を更新した時に移動元のゲートウェイ装置に対して前記移動端末の位置登録記憶の削除を指示する削除指示手段と、位置登録していないゲートウェイ装置からの移動端末の仮位置登録要求を受信して仮位置登録をする仮位置登録手段と、を具備することを特徴とするゲートキーパ装置。
【請求項１２】
前記ゲートウェイ装置からの仮位置登録要求により仮位置登録して発信した前記移動端末の通話終了時に、前記移動端末を正規に位置登録要求したゲートウェイ装置に対して再び位置登録をするよう指示を行う再位置登録指示手段を備えることを特徴とする請求項１１記載のゲートキーパ装置。
【請求項１３】
複数の移動端末と、前記移動端末をネットワークに接続する複数のゲートウェイ装置と、前記移動端末と前記ゲートウェイ装置のアドレスを管理するゲートキーパ装置とを具備する通信システムにおいて、前記ゲートウェイ装置が、前記移動端末からの位置登録要求を受けて前記ゲートキーパ装置に対して登録要求を行う登録要求ステップを備え、前記ゲートキーパ装置が、登録要求を送信した前記ゲートウェイ装置を移動端末の移動先と認識して位置情報を更新する位置情報管理ステップを備えることを特徴とする移動管理方法。
【請求項１４】
複数の移動端末と、前記移動端末をネットワークに接続する複数のゲートウェイ装置と、前記移動端末と前記ゲートウェイ装置のアドレスを管理するゲートキーパ装置とを具備する通信システムにおいて、前記ゲートウェイ装置が、前記移動端末からの位置登録要求を受けて前記ゲートキーパ装置に対して登録要求を行う登録要求ステップと、位置登録したことを記憶する位置登録記憶ステップと、前記位置登録記憶ステップにおいて記憶していない移動端末からの発信要求に応じて前記ゲートキーパ装置に対して仮の位置登録要求を行う仮位置登録要求ステップとを備え、前記ゲートキーパ装置が、登録要求を受信して登録要求を送信した前記ゲートウェイ装置を移動端末の移動先と認識して位置情報を更新する位置情報管理ステップと、前記位置情報管理ステップにおいて移動端末の位置情報を更新した時に移動元のゲートウェイ装置に対して前記位置登録記憶ステップにおいて記憶した前記移動端末の位置登録記憶の削除を指示する削除指示ステップと、前記ゲートウェイ装置からの仮位置登録要求を受信して発信要求した移動端末の仮位置登録をする仮位置登録ステップと、を備えることを特徴とする移動管理方法。
【発明の詳細な説明】
【０００１】
【発明の属する技術分野】
本発明は、ＴＴＣ標準ＪＴ−Ｈ３２３又はＩＴＵ−Ｔ勧告Ｈ．３２３に基づく通信ネットワーク内における移動端末を収容するための通信システム、ゲートウェイ装置、ゲートキーパ装置及び移動管理方法に関する。
【０００２】
【従来の技術】
従来、ＴＴＣ標準ＪＴ−Ｈ３２３又はＩＴＵ−Ｔ勧告Ｈ．３２３に基づくマルチメディア通信システムの端末管理方式としては、非特許文献１及び非特許文献２で公開されているものがある。
【０００３】
図１２は、従来の通信システムの構成の一例を示すシステム図である。通信システム１０は、ゲートキーパ装置１１、ゲートウェイ装置１２及び１３、基地局１４〜１７、ＰＨＳ端末１８〜２０で構成されている。ゲートキーパ装置１１は、ＩＰネットワークに接続されて、通信システム１０に収容される機器のアドレスを記憶して参加要求（ＡＲＱ）受信時にＩＰアドレスを通知するなどのアドレス管理を行う。ゲートウェイ装置１２は、ＩＰネットワークと接続されるとともに基地局１４及び基地局１５と接続され、これらの基地局と無線通信できるＰＨＳ端末をＩＰネットワークに収容してＩＰネットワークでの通信を可能とする。ゲートウェイ装置１３は、ＩＰネットワークと接続されるとともに基地局１６及び基地局１７と接続され、これらの基地局と無線通信できるＰＨＳ端末をＩＰネットワークに収容してＩＰネットワークでの通信を可能とする。基地局１４〜１７は、ＰＨＳ端末との間で無線通信を確立してＰＨＳ端末とゲートウェイ装置との通信を可能とする。ＰＨＳ端末１８〜２０は、電話番号（Ｅ．１６４アドレス）を有する移動可能な電話端末であり、基地局を介してゲートウェイ装置と通信してＩＰネットワークを使って他のＰＨＳ端末や通信端末との通信を行う。
【０００４】
次に、従来の通信システム１０におけるＰＨＳ端末移動時の動作について、図１２及び図１３を参照して説明する。図１３は、従来の通信システムにおけるＰＨＳ端末移動時の動作を説明するシーケンス図である。図１３において、ＰＨＳ端末の動作はステップＴの符号を付して示され、ゲートウェイ装置の動作はステップＥの符号を付して示され、ゲートキーパ装置の動作はステップＧの符号を付して示される。
【０００５】
ＰＨＳ端末１８〜２０は、電源がＯＮされるなど動作が開始すると最も無線通信状況の良い基地局を介してゲートウェイ装置に位置登録要求を行う。ＰＨＳ端末１８は、基地局１４を介してゲートウェイ装置１２へ位置登録要求を送信する（ステップＴ１）。ゲートウェイ装置１２は、ＰＨＳ端末１８の電話番号“１００”と自己のＩＰアドレス“ａ．ａ．ａ．ａ”を含んだＨ．２２５．０の登録要求（ＲＲＱ）をゲートキーパ装置１１へ送信する（ステップＥ２）。ゲートキーパ装置１１は、登録確認（ＲＣＦ）をゲートウェイ装置１２へ返信し、ＰＨＳ端末１８の電話番号“１００”とゲートウェイ装置１２のＩＰアドレス“ａ．ａ．ａ．ａ”を記憶する（ステップＧ３）。ゲートウェイ装置１２は、基地局１４を介してＰＨＳ端末１８へ位置登録受付を送信する（ステップＥ４）。
【０００６】
ＰＨＳ端末２０は、基地局１７を介してゲートウェイ装置１３へ位置登録要求を送信する（ステップＴ５）。ゲートウェイ装置１３は、ＰＨＳ端末２０の電話番号“２００”と自己のＩＰアドレス“ｂ．ｂ．ｂ．ｂ”を含んだＨ．２２５．０の登録要求（ＲＲＱ）をゲートキーパ装置１１へ送信する（ステップＥ６）。ゲートキーパ装置１１は、登録確認（ＲＣＦ）をゲートウェイ装置１３へ返信し、ＰＨＳ端末２０の電話番号“２００”とゲートウェイ装置１３のＩＰアドレス“ｂ．ｂ．ｂ．ｂ”を記憶する（ステップＧ７）。ゲートウェイ装置１３は、基地局１７を介してＰＨＳ端末２０へ位置登録受付を送信する（ステップＥ８）。
【０００７】
ＰＨＳ端末１９は、基地局１５を介してゲートウェイ装置１２へ位置登録要求を送信する（ステップＴ９）。ゲートウェイ装置１２は、管理下にあるすべてのＰＨＳ端末を毎回ゲートキーパ装置に通知するため、ＰＨＳ端末１９の電話番号“１０１”及び既に登録したＰＨＳ端末１８の電話番号“１００”と自己のＩＰアドレス“ａ．ａ．ａ．ａ”を含んだＨ．２２５．０の登録要求（ＲＲＱ）をゲートキーパ装置１１へ送信する（ステップＥ１０）。ゲートキーパ装置１１は、登録確認（ＲＣＦ）をゲートウェイ装置１２へ返信し、ＰＨＳ端末１９の電話番号“１０１”及びＰＨＳ端末１８の電話番号“１００”とゲートウェイ装置１２のＩＰアドレス“ａ．ａ．ａ．ａ”を記憶する（ステップＧ１１）。ゲートウェイ装置１２は、基地局１５を介してＰＨＳ端末１９へ位置登録受付を送信する（ステップＥ１２）。なお、ゲートウェイ装置からゲートキーパ装置への登録要求（ＲＲＱ）は、ゲートウェイ装置が管理しているＰＨＳ端末の最新の状態をゲートキーパ装置に知らせるために、定期的に行う必要がある。
【０００８】
次に、ＰＨＳ端末１９が、基地局１５の無線通信圏内から基地局１６の無線通信圏内へ移動する（ステップＴ１３）。ＰＨＳ端末１９は、基地局１６を介してゲートウェイ装置１３へ位置登録要求を送信する（ステップＴ１４）。ゲートウェイ装置１３は、ＰＨＳ端末１９の電話番号“１０１”及び既に登録したＰＨＳ端末２０の電話番号“２００”と自己のＩＰアドレス“ｂ．ｂ．ｂ．ｂ”を含んだＨ．２２５．０の登録要求（ＲＲＱ）をゲートキーパ装置１１へ送信する（ステップＥ１５）。ゲートキーパ装置１１は、登録確認（ＲＣＦ）をゲートウェイ装置１３へ返信し、ＰＨＳ端末１９の電話番号“１０１”及びＰＨＳ端末２０の電話番号“２００”とゲートウェイ装置１３のＩＰアドレス“ｂ．ｂ．ｂ．ｂ”を記憶する（ステップＧ１６）。ゲートウェイ装置１３は、基地局１６を介してＰＨＳ端末１９へ位置登録受付を送信する（ステップＥ１７）。このようにして、従来の通信システム１０においてＰＨＳ端末が移動した時に位置登録が行われる。
【０００９】
以上のように、従来の通信システム１０においては、ゲートウェイ装置がＰＨＳ端末の位置情報を管理して、新たな登録要求時に、自己の管理しているＰＨＳ端末全ての電話番号（アドレス）をゲートキーパ装置１１へ送信する。ゲートキーパ装置１１は、この情報を受けてＰＨＳ端末とゲートウェイ装置のアドレスを最新情報として記憶する移動管理方法である。
【００１０】
【非特許文献１】
ＪＴ−Ｈ２２５．０
パケットに基づくマルチメディア通信システムのためのシグナリングプロトコルとメディア信号のパケット化
社団法人    電信電話技術委員会
【非特許文献２】
ＩＮＴＥＲＮＡＴＩＯＮＡＬ  ＴＥＬＥＣＯＭＭＵＮＩＣＡＴＩＯＮ  ＵＮＩＯＮ
ＴＥＲＥＣＯＭＭＵＮＩＣＡＴＩＯＮ  ＳＴＡＮＤＡＲＤＩＺＡＴＩＯＮ  ＳＥＣＴＯＲ  ＯＦ  ＩＴＵ
Ｃａｌｌ  Ｓｉｇｎａｌｉｎｇ  Ｐｒｏｔｏｃｏｌｓ  ａｎｄ  Ｍｅｄｉａ  Ｓｔｒｅａｍ  Ｐａｃｋｅｔｉｚａｔｉｏｎ  ｆｏｒ      Ｐａｃｋｅｔ  Ｂａｓｅｄ  Ｍｕｌｔｉｍｅｄｉａ  Ｃｏｍｍｕｎｉｃａｔｉｏｎ  Ｓｙｓｔｅｍｓ
ＩＴＵ−Ｔ  Ｒｅｃｏｍｍｅｎｄａｔｉｏｎ  Ｈ．２２５．０
【００１１】
【発明が解決しようとする課題】
しかしながら、従来の通信システムのＰＨＳ端末管理方法においては、ゲートウェイ装置がＰＨＳ端末の位置情報を管理しているため、ＰＨＳ端末が移動した場合、移動先のゲートウェイ装置は位置登録要求で移動を確認できるが、移動元のゲートウェイ装置は移動したかどうかを把握することができないという問題がある。また、ゲートウェイ装置がＰＨＳ端末の移動を管理するためには、常に何らかの通信を行って監視しておく必要がある。しかし、この場合でもＰＨＳ端末の通信中はビジーとなるために間隔を置いてゲートウェイ装置は監視のための通信を再度することとなり、その間にＰＨＳ端末が移動してしまうことも考えられ、ゲートウェイ装置間で位置情報の状態ずれが発生する場合があるという問題がある。
【００１２】
本発明はかかる点に鑑みてなされたものであり、ＴＴＣ標準ＪＴ−Ｈ３２３又はＩＴＵ−Ｔ勧告Ｈ．３２３に基づく通信システムにおいて、状態ずれを発生させずに移動端末の位置情報を管理することができる通信システム、ゲートウェイ装置、ゲートキーパ装置及び移動管理方法を提供することを目的とする。
【００１３】
【課題を解決するための手段】
本発明は、複数の移動端末と、前記移動端末をネットワークに接続する複数のゲートウェイ装置と、前記移動端末と前記ゲートウェイ装置のアドレスを管理するゲートキーパ装置とを具備する通信システムにおいて、前記ゲートウェイ装置が、前記移動端末からの位置登録要求を受けて前記ゲートキーパ装置に対して登録要求を行う登録要求手段を備え、前記ゲートキーパ装置が、登録要求を受信して登録要求を送信した前記ゲートウェイ装置を移動端末の移動先と認識して位置情報を更新する位置情報管理手段を備える通信システムである。
【００１４】
【発明の実施の形態】
本発明の第１の態様は、複数の移動端末と、前記移動端末をネットワークに接続する複数のゲートウェイ装置と、前記移動端末と前記ゲートウェイ装置のアドレスを管理するゲートキーパ装置とを具備する通信システムにおいて、前記ゲートウェイ装置が、前記移動端末からの位置登録要求を受けて前記ゲートキーパ装置に対して登録要求を行う登録要求手段を備え、前記ゲートキーパ装置が、登録要求を受信して登録要求を送信した前記ゲートウェイ装置を移動端末の移動先と認識して位置情報を更新する位置情報管理手段を備える通信システムである。
【００１５】
本発明によれば、ゲートキーパ装置が、移動端末の位置情報を一元管理して、ゲートウェイ装置が移動端末の移動により登録要求をする時に、位置情報を更新するため、状態ずれのない位置情報管理ができる。
【００１６】
本発明の第２の態様は、前記ゲートウェイ装置が、前記移動端末からの位置登録要求を受けて位置登録したことを記憶する位置登録記憶手段を備え、前記ゲートキーパ装置が、前記移動端末の移動先のゲートウェイ装置からの登録要求を受けて移動元のゲートウェイ装置に対して前記位置登録記憶手段の前記移動端末の位置登録記憶の削除を指示する削除指示手段を備える通信システムである。
【００１７】
本発明によれば、ゲートキーパ装置が、移動端末の移動時に移動元のゲートウェイ装置に移動端末の削除指示をするため、ゲートウェイ装置側でも移動端末の位置情報を更新することができる。
【００１８】
本発明の第３の態様は、複数の移動端末と、前記移動端末をネットワークに接続する複数のゲートウェイ装置と、前記移動端末と前記ゲートウェイ装置のアドレスを管理するゲートキーパ装置とを具備する通信システムにおいて、前記ゲートウェイ装置が、前記移動端末からの位置登録要求を受けて前記ゲートキーパ装置に対して登録要求を行う登録要求手段と、位置登録したことを記憶する位置登録記憶手段と、前記位置登録記憶手段に記憶していない移動端末からの発信要求に応じて前記ゲートキーパ装置に対して仮の位置登録要求を行う仮位置登録要求手段とを備え、前記ゲートキーパ装置が、登録要求を受信して登録要求を送信した前記ゲートウェイ装置を移動端末の移動先と認識して位置情報を更新する位置情報管理手段と、前記位置情報管理手段が移動端末の位置情報を更新した時に移動元のゲートウェイ装置に対して前記位置登録記憶手段の前記移動端末の位置登録記憶の削除を指示する削除指示手段と、前記ゲートウェイ装置からの仮位置登録要求を受信して発信要求した移動端末の仮位置登録をする仮位置登録手段と、を備える通信システムである。
【００１９】
本発明によれば、ゲートキーパ装置が、移動端末の位置情報を一元管理して、ゲートウェイ装置が移動端末の移動により登録要求をする時に、位置情報を更新するため、状態ずれのない位置情報管理ができる。また、ゲートウェイ装置が、位置登録をしていない移動端末からの発信要求に応じて仮位置登録要求をゲートキーパ装置に対して行い、ゲートキーパ装置が、移動端末の仮位置登録をして参加要求を許可するため、移動端末は、正規に位置登録をしたゲートウェイ装置がビジーの時でも別のゲートウェイ装置を使用して発信することができる。
【００２０】
本発明の第４の態様は、前記ゲートキーパ装置が、前記ゲートウェイ装置からの通話終了時の離脱要求を受けて仮位置登録の削除を行う仮位置登録削除手段を備える通信システムである。
【００２１】
本発明によれば、仮位置登録を行って発信通話した場合に、通話終了の離脱要求を受けてゲートキーパ装置自身が仮位置登録削除を行うため、仮位置登録による位置情報の状態ずれを防ぐことができる。
【００２２】
本発明の第５の態様は、前記ゲートキーパ装置が、仮位置登録して発信した前記移動端末の通話終了時に、前記移動端末を正規に位置登録要求したゲートウェイ装置に対して再び位置登録をするよう指示を行う再位置登録指示手段を備え、前記ゲートウェイ装置が、前記再位置登録指示に応答して登録要求を行う通信システムである。
【００２３】
本発明によれば、仮位置登録を行って発信通話した場合に、ゲートキーパ装置が、通話終了時に正規に位置登録要求したゲートウェイ装置に対して再位置登録指示を行って、前記ゲートウェイ装置から再位置登録要求を受けて位置情報を更新するため、仮位置登録による位置情報の状態ずれを防ぐことができる。
【００２４】
本発明の第６の態様は、前記ゲートキーパ装置が、再位置登録指示した時に別のゲートウェイ装置からの前記移動端末の登録要求を拒否して再位置登録応答を待つ通信システムである。
【００２５】
本発明によれば、ゲートキーパ装置が、再位置登録指示中は移動端末の登録要求を拒否するため、再位置登録指示した時に移動端末が別のゲートウェイ装置に移動して位置登録要求を行うために起こりうる位置情報の状態ずれを防ぐことができる。
【００２６】
本発明の第７の態様は、ゲートキーパ装置とネットワークを介して接続され、複数の移動端末をネットワークに接続するゲートウェイ装置において、前記移動端末と自装置とを区別して前記ゲートキーパ装置へ登録要求を行う登録要求手段と、前記移動端末の移動によって送信される位置登録要求を受信する位置登録要求受信手段とを備え、前記登録要求手段が、位置登録要求を送信した前記移動端末のアドレスを登録要求に設定して前記ゲートキーパ装置に送信するゲートウェイ装置である。
【００２７】
本発明によれば、ゲートウェイ装置が、移動端末と自装置を分離してゲートキーパ装置へ登録要求を行い、移動端末の移動時のみ登録要求を行うため、ゲートキーパ装置は、移動端末を死活監視から外して、移動時の登録要求を受信して移動端末の位置情報を更新して管理することができる。
【００２８】
本発明の第８の態様は、前記位置登録要求受信手段が、位置登録したことを記憶する位置登録記憶手段を有し、前記位置登録記憶手段に記憶していない移動端末からの発信要求に応じて前記ゲートキーパ装置に対して仮の位置登録要求を行う仮位置登録要求手段を備えるゲートウェイ装置である。
【００２９】
本発明によれば、ゲートウェイ装置が、位置登録をしていない移動端末からの発信要求に応じて仮位置登録要求をゲートキーパ装置に対して行うため、移動端末は、正規に位置登録をしたゲートウェイ装置がビジーの時でも別のゲートウェイ装置を使用して発信することができる。
【００３０】
本発明の第９の態様は、移動端末をネットワークに接続する複数のゲートウェイ装置とネットワークを介して接続され、前記移動端末と前記ゲートウェイ装置のアドレスを管理するゲートキーパ装置において、前記移動端末が別のゲートウェイ装置の管理下に移動した時に該ゲートウェイ装置から送信される移動端末の登録要求を受信する受信手段と、登録要求を送信した前記ゲートウェイ装置を移動端末の移動先と認識して位置情報を更新する位置情報管理手段と、を具備するゲートキーパ装置である。
【００３１】
本発明によれば、ゲートキーパ装置が、移動端末の移動時に移動先のゲートウェイ装置から登録要求を受信して位置情報を更新するため、ゲートキーパ装置において位置情報を一元管理することができ、状態ずれを防止できる。
【００３２】
本発明の第１０の態様は、前記位置情報管理手段が、移動端末の移動先の前記ゲートウェイ装置からの登録要求を受けて移動元のゲートウェイ装置に対して移動端末の削除を指示する削除指示手段を備えるゲートキーパ装置である。
【００３３】
本発明によれば、ゲートキーパ装置が、移動端末の移動時に移動元のゲートウェイ装置に移動端末の削除指示をするため、ゲートウェイ装置側でも移動端末の位置情報を更新することができる。
【００３４】
本発明の第１１の態様は、移動端末をネットワークに接続する複数のゲートウェイ装置とネットワークを介して接続され、前記移動端末と前記ゲートウェイ装置のアドレスを管理するゲートキーパ装置において、前記移動端末が別のゲートウェイ装置の管理下に移動した時に該ゲートウェイ装置から送信される移動端末の登録要求を受信する受信手段と、登録要求を送信した前記ゲートウェイ装置を移動端末の移動先と認識して位置情報を更新する位置情報管理手段と、前記位置情報管理手段が移動端末の位置情報を更新した時に移動元のゲートウェイ装置に対して前記移動端末の位置登録記憶の削除を指示する削除指示手段と、位置登録していないゲートウェイ装置からの移動端末の仮位置登録要求を受信して仮位置登録をする仮位置登録手段と、を具備するゲートキーパ装置である。
【００３５】
本発明によれば、ゲートキーパ装置が、移動端末が移動した時にゲートウェイ装置から送信される前記移動端末の登録要求を受けて位置情報を更新して一元管理するため、状態ずれのない位置情報管理ができる。また、ゲートキーパ装置が、位置登録していないゲートウェイ装置からの移動端末の仮位置登録要求を受信して仮位置登録をするため、移動端末は、正規に位置登録をしたゲートウェイ装置がビジーの時でも別のゲートウェイ装置を使用して発信することができる。
【００３６】
本発明の第１２の態様は、前記ゲートウェイ装置からの仮位置登録要求により仮位置登録して発信した前記移動端末の通話終了時に、前記移動端末を正規に位置登録要求したゲートウェイ装置に対して再び位置登録をするよう指示を行う再位置登録指示手段を備えるゲートキーパ装置である。
【００３７】
本発明によれば、仮位置登録を行って発信通話した場合に、ゲートキーパ装置が、通話終了時に正規に位置登録要求したゲートウェイ装置に対して再位置登録指示を行うため、前記ゲートウェイ装置から再位置登録要求を受けて位置情報を更新して、仮位置登録による位置情報の状態ずれを防ぐことができる。
【００３８】
本発明の第１３の態様は、複数の移動端末と、前記移動端末をネットワークに接続する複数のゲートウェイ装置と、前記移動端末と前記ゲートウェイ装置のアドレスを管理するゲートキーパ装置とを具備する通信システムにおいて、前記ゲートウェイ装置が、前記移動端末からの位置登録要求を受けて前記ゲートキーパ装置に対して登録要求を行う登録要求ステップを備え、前記ゲートキーパ装置が、登録要求を送信した前記ゲートウェイ装置を移動端末の移動先と認識して位置情報を更新する位置情報管理ステップを備える移動管理方法である。
【００３９】
本発明によれば、ゲートキーパ装置が、移動端末の位置情報を一元管理して、ゲートウェイ装置が移動端末の移動により登録要求をする時に、位置情報を更新するため、状態ずれのない位置情報管理ができる。
【００４０】
本発明の第１４の態様は、複数の移動端末と、前記移動端末をネットワークに接続する複数のゲートウェイ装置と、前記移動端末と前記ゲートウェイ装置のアドレスを管理するゲートキーパ装置とを具備する通信システムにおいて、前記ゲートウェイ装置が、前記移動端末からの位置登録要求を受けて前記ゲートキーパ装置に対して登録要求を行う登録要求ステップと、位置登録したことを記憶する位置登録記憶ステップと、前記位置登録記憶ステップにおいて記憶していない移動端末からの発信要求に応じて前記ゲートキーパ装置に対して仮の位置登録要求を行う仮位置登録要求ステップとを備え、前記ゲートキーパ装置が、登録要求を受信して登録要求を送信した前記ゲートウェイ装置を移動端末の移動先と認識して位置情報を更新する位置情報管理ステップと、前記位置情報管理ステップにおいて移動端末の位置情報を更新した時に移動元のゲートウェイ装置に対して前記位置登録記憶ステップにおいて記憶した前記移動端末の位置登録記憶の削除を指示する削除指示ステップと、前記ゲートウェイ装置からの仮位置登録要求を受信して発信要求した移動端末の仮位置登録をする仮位置登録ステップと、を備える移動管理方法である。
【００４１】
本発明によれば、ゲートキーパ装置が、移動端末の位置情報を一元管理して、ゲートウェイ装置が移動端末の移動により登録要求をする時に、位置情報を更新するため、状態ずれのない位置情報管理ができる。また、ゲートウェイ装置が、位置登録をしていない移動端末からの発信要求に応じて仮位置登録要求をゲートキーパ装置に対して行い、ゲートキーパ装置が、移動端末の仮位置登録をして参加要求を許可するため、移動端末は、正規に位置登録をしたゲートウェイ装置がビジーの時でも別のゲートウェイ装置を使用して発信することができる。
【００４２】
以下、本発明の実施の形態について、図面を参照して詳細に説明する。
【００４３】
（実施の形態１）
図１は、本発明の実施の形態１に係る通信システムの構成の一例を示すシステム図である。
【００４４】
通信システム１００は、ゲートキーパ装置１０１、ゲートウェイ装置１０２及び１０３、基地局１０４〜１０７、ＰＨＳ端末１０８〜１１０で構成されている。ゲートキーパ装置１０１とゲートウェイ装置１０２及び１０３は、ＩＰネットワークに接続され、基地局１０４及び１０５はゲートウェイ装置１０２に、基地局１０６及び１０７はゲートウェイ装置１０３に、それぞれ接続されている。
【００４５】
図２は、本発明の実施の形態１に係るゲートキーパ装置の構成を示すブロック図である。
【００４６】
ゲートキーパ装置１０１は、ネットワークＩ／Ｆ２０１、登録要求受信部２０２、位置情報管理部２０３、アドレス記憶部２０４及びＣＰＵ２０５を備えている。ネットワークＩ／Ｆ２０１は、ＩＰネットワークと接続するためのインターフェイス部である。登録要求受信部２０２は、通信システム１００に収容されている機器の登録要求（ＲＲＱ）を受信して、そのアドレスを位置情報管理部２０３及びアドレス記憶部２０４に伝える。位置情報管理部２０３は、移動するＰＨＳ端末の属するゲートウェイ装置をＰＨＳ端末の電話番号とゲートウェイ装置のＩＰアドレスとを関連付けて記憶してＰＨＳ端末の位置情報を管理する。アドレス記憶部２０４は、通信システム１００に収容されている機器の電話番号とＩＰアドレスを記憶して、参加要求（ＡＲＱ）に応じてＩＰアドレスを通知する。ＣＰＵ２０５は、ゲートキーパ装置１０１の内部の制御を行うＣＰＵである。
【００４７】
図３は、本発明の実施の形態１に係るゲートウェイ装置の構成を示すブロック図である。
【００４８】
ゲートウェイ装置１０２又は１０３は、ＰＨＳ端末をＩＰネットワークに収容してＩＰネットワーク上での通信を可能とするための装置であり、ＰＨＳ端末Ｉ／Ｆ部３０１、位置登録要求受信部３０２、登録要求部３０３、ネットワークＩ／Ｆ３０４及びＣＰＵ３０５を備えている。ＰＨＳ端末Ｉ／Ｆ部３０１は、基地局と接続され、ＰＨＳ端末との間で基地局を介して通信を行うインターフェイス部である。位置登録要求受信部３０２は、位置登録記憶部３０２１を有し、ＰＨＳ端末からの位置登録要求をＰＨＳ端末Ｉ／Ｆ部３０１を介して受信してこのＰＨＳ端末の電話番号（Ｅ．１６４アドレス）を位置登録記憶部３０２１に記憶するとともに登録要求部３０３に伝える。登録要求部３０３は、自装置の電話番号（Ｅ．１６４アドレス）を有し、自装置の電話番号を登録要求（ＲＲＱ）に設定して、ネットワークＩ／Ｆ３０４を介してゲートキーパ装置１０１に登録要求（ＲＲＱ）を送信する。また、登録要求部３０３は、位置登録要求受信部３０２から伝えられたＰＨＳ端末の電話番号を登録要求（ＲＲＱ）に設定して、ネットワークＩ／Ｆ３０４を介してゲートキーパ装置１０１に登録要求（ＲＲＱ）を送信する。ネットワークＩ／Ｆ３０４は、ＩＰネットワークと接続するためのインターフェイス部である。ＣＰＵ３０５は、ゲートウェイ装置１０２又は１０３の内部の制御を行うＣＰＵである。
【００４９】
基地局１０４〜１０７は、ＰＨＳ端末との間で無線通信を確立してＰＨＳ端末とゲートウェイ装置との通信を可能とする。ＰＨＳ端末１０８〜１１０は、電話番号（Ｅ．１６４アドレス）を有する移動可能な電話端末であり、基地局を介してゲートウェイ装置と通信してＩＰネットワークを使って他のＰＨＳ端末や通信端末との通信を行う。ここで、ＰＨＳ端末１０８は電話番号“１００”、ＰＨＳ端末１０９は電話番号“１０１”、ＰＨＳ端末１１０は電話番号“２００”としている。また、ゲートウェイ装置１０２は電話番号“１０００”、ゲートウェイ装置１０３は電話番号“２０００”としている。
【００５０】
次に、本発明の実施の形態１に係る通信システム１００の動作について、図１、図２、図３及び図４を参照して説明する。図４は、実施の形態１に係る通信システムの動作を説明するためのシーケンス図である。図４において、ＰＨＳ端末の動作はステップＴの符号を付して示され、ゲートウェイ装置の動作はステップＥの符号を付して示され、ゲートキーパ装置の動作はステップＧの符号を付して示される。
【００５１】
通信システム１００の動作が開始されると、ゲートウェイ装置１０２の登録要求部３０３は、自装置の電話番号“１０００”を登録要求（ＲＲＱ）に設定してゲートキーパ装置１０１に登録要求する（ステップＥ４０１）。ゲートキーパ装置１０１の登録要求受信部２０２は、この登録要求を受信してアドレス記憶部２０４に電話番号を伝える。アドレス記憶部２０４は、この電話番号からＩＰアドレスを確認して、ゲートウェイ装置１０２が動作状態であることを認識する。ゲートキーパ装置１０１のＣＰＵ２０５は、登録要求に応答して登録確認（ＲＣＦ）をゲートウェイ装置１０２に返信する（ステップＧ４０２）。同様に、ゲートウェイ装置１０３は、自装置の電話番号“２０００”を登録要求（ＲＲＱ）に設定してゲートキーパ装置１０１に登録要求する（ステップＥ４０３）。ゲートキーパ装置１０１は、この登録要求に応答して登録確認（ＲＣＦ）をゲートウェイ装置１０３に返信する（ステップＧ４０４）。これで、ゲートウェイ装置１０２及び１０３のそれぞれの登録が完了する。
【００５２】
次に、ＰＨＳ端末１０８は、基地局１０４の無線通信圏内に居て、基地局１０４を介してゲートウェイ装置１０２に対して位置登録要求を行う（ステップＴ４０５）。ゲートウェイ装置１０２では、位置登録要求受信部３０２が、ＰＨＳ端末Ｉ／Ｆ部３０１を介して位置登録要求を受信してＰＨＳ端末１０８の電話番号“１００”を位置登録記憶部３０２１に記憶するとともに、登録要求部３０３に位置登録要求とそのＰＨＳ端末１０８の電話番号“１００”を伝える。登録要求部３０３は、位置登録要求をしたＰＨＳ端末１０８の電話番号“１００”を登録要求（ＲＲＱ）に設定してゲートキーパ装置１０１に登録要求する（ステップＥ４０６）。
【００５３】
ゲートキーパ装置１０１の登録要求受信部２０２は、この登録要求を受信してＰＨＳ端末１０８の電話番号“１００”と登録要求してきたゲートウェイ装置１０２のＩＰアドレス“ａ．ａ．ａ．ａ”を位置情報管理部２０３に伝える。位置情報管理部２０３は、電話番号“１００”に対応するＩＰアドレスを“ａ．ａ．ａ．ａ”として記憶する。これにより、ＰＨＳ端末１０８は、ゲートウェイ装置１０２の管理下に居ると認識される。ゲートキーパ装置１０１は、登録要求に応答して登録確認（ＲＣＦ）をゲートウェイ装置１０２に返信する（ステップＧ４０７）。ゲートウェイ装置１０２は、ゲートキーパ装置１０１からの登録確認を受けてＰＨＳ端末１０８に対して位置登録受付を送信する（ステップＥ４０８）。こうして、ゲートウェイ装置１０２は、ＰＨＳ端末１０８の位置登録を完了して、位置登録を行ったＰＨＳ端末１０８の電話番号“１００”を記憶している。
【００５４】
同様に、ＰＨＳ端末１１０は、基地局１０７の無線通信圏内に居て、基地局１０７を介してゲートウェイ装置１０３に対して位置登録要求を行う（ステップＴ４０９）。ゲートウェイ装置１０３では、位置登録要求受信部３０２が、ＰＨＳ端末Ｉ／Ｆ部３０１を介して位置登録要求を受信してＰＨＳ端末１１０の電話番号“２００”を位置登録記憶部３０２１に記憶するとともに、登録要求部３０３に位置登録要求とそのＰＨＳ端末１１０の電話番号“２００”を伝える。登録要求部３０３は、位置登録要求をしたＰＨＳ端末１１０の電話番号“２００”を登録要求（ＲＲＱ）に設定してゲートキーパ装置１０１に登録要求する（ステップＥ４１０）。
【００５５】
ゲートキーパ装置１０１の登録要求受信部２０２は、この登録要求を受信してＰＨＳ端末１１０の電話番号“２００”と登録要求してきたゲートウェイ装置１０３のＩＰアドレス“ｂ．ｂ．ｂ．ｂ”を位置情報管理部２０３に伝える。位置情報管理部２０３は、電話番号“２００”に対応するＩＰアドレスを“ｂ．ｂ．ｂ．ｂ”として記憶する。これにより、ＰＨＳ端末１１０は、ゲートウェイ装置１０３の管理下に居ると認識される。ゲートキーパ装置１０１は、登録要求に応答して登録確認（ＲＣＦ）をゲートウェイ装置１０３に返信する（ステップＧ４１１）。ゲートウェイ装置１０３は、ゲートキーパ装置１０１からの登録確認を受けてＰＨＳ端末１１０に対して位置登録受付を送信する（ステップＥ４１２）。こうして、ゲートウェイ装置１０３は、ＰＨＳ端末１１０の位置登録を完了して、位置登録を行ったＰＨＳ端末１１０の電話番号“２００”を記憶している。
【００５６】
また同様に、ＰＨＳ端末１０９は、基地局１０５の無線通信圏内に居て、基地局１０５を介してゲートウェイ装置１０２に対して位置登録要求を行う（ステップＴ４１３）。ゲートウェイ装置１０２では、位置登録要求受信部３０２が、ＰＨＳ端末Ｉ／Ｆ部３０１を介して位置登録要求を受信してＰＨＳ端末１０９の電話番号“１０１”を位置登録記憶部３０２１に記憶するとともに、登録要求部３０３に位置登録要求とそのＰＨＳ端末１０９の電話番号“１０１”を伝える。登録要求部３０３は、位置登録要求をしたＰＨＳ端末１０９の電話番号“１０１”を登録要求（ＲＲＱ）に設定してゲートキーパ装置１０１に登録要求する（ステップＥ４１４）。
【００５７】
ゲートキーパ装置１０１の登録要求受信部２０２は、この登録要求を受信してＰＨＳ端末１０９の電話番号“１０１”と登録要求してきたゲートウェイ装置１０２のＩＰアドレス“ａ．ａ．ａ．ａ”を位置情報管理部２０３に伝える。位置情報管理部２０３は、電話番号“１０１”に対応するＩＰアドレスを“ａ．ａ．ａ．ａ”として記憶する。これにより、ＰＨＳ端末１０９は、ゲートウェイ装置１０２の管理下に居ると認識される。ゲートキーパ装置１０１は、登録要求に応答して登録確認（ＲＣＦ）をゲートウェイ装置１０２に返信する（ステップＧ４１５）。ゲートウェイ装置１０２は、ゲートキーパ装置１０１からの登録確認を受けてＰＨＳ端末１０９に対して位置登録受付を送信する（ステップＥ４１６）。こうして、ゲートウェイ装置１０２は、ＰＨＳ端末１０９の位置登録を完了して、位置登録を行ったＰＨＳ端末１０９の電話番号“１０１”と、以前に位置登録を行ったＰＨＳ端末１０８の電話番号“１００”と、を記憶している。
【００５８】
この時点で、ゲートキーパ装置１０１は、ゲートウェイ装置１０２にはＰＨＳ端末１０８とＰＨＳ端末１０９が居て、ゲートウェイ装置１０３にはＰＨＳ端末１１０が居ることを認識している。
【００５９】
次に、ＰＨＳ端末１０９が、基地局１０５の無線通信圏内から基地局１０６の無線通信圏内へ移動した場合について説明する（ステップＴ４１７）。ＰＨＳ端末１０９は、基地局１０６を介してゲートウェイ装置１０３に対して位置登録要求を行う（ステップＴ４１８）。ゲートウェイ装置１０３では、位置登録要求受信部３０２が、ＰＨＳ端末Ｉ／Ｆ部３０１を介して位置登録要求を受信してＰＨＳ端末１０９の電話番号“１０１”を位置登録記憶部３０２１に記憶するとともに、登録要求部３０３に位置登録要求とそのＰＨＳ端末１０９の電話番号“１０１”を伝える。登録要求部３０３は、位置登録要求をしたＰＨＳ端末１０９の電話番号“１０１”を登録要求（ＲＲＱ）に設定してゲートキーパ装置１０１に登録要求する（ステップＥ４１９）。
【００６０】
ゲートキーパ装置１０１の登録要求受信部２０２は、この登録要求を受信してＰＨＳ端末１０９の電話番号“１０１”と登録要求してきたゲートウェイ装置１０３のＩＰアドレス“ｂ．ｂ．ｂ．ｂ”を位置情報管理部２０３に伝える。位置情報管理部２０３は、電話番号“１０１”に対応するＩＰアドレスを更新して“ｂ．ｂ．ｂ．ｂ”として記憶する。これにより、ＰＨＳ端末１０９は、ゲートウェイ装置１０３の管理下に移動したと認識される。ゲートキーパ装置１０１は、登録要求に応答して登録確認（ＲＣＦ）をゲートウェイ装置１０３に返信する（ステップＧ４２０）。ゲートウェイ装置１０３は、ゲートキーパ装置１０１からの登録確認を受けてＰＨＳ端末１０９に対して位置登録受付を送信する（ステップＥ４２１）。こうして、ゲートウェイ装置１０３は、ＰＨＳ端末１０９の位置登録を完了して、位置登録を行ったＰＨＳ端末１０９の電話番号“１０１”と、以前に位置登録を行ったＰＨＳ端末１１０の電話番号“２００”と、を記憶している。
【００６１】
この時点で、ゲートキーパ装置１０１は、ＰＨＳ端末の位置情報が更新されて、ゲートウェイ装置１０２にはＰＨＳ端末１０８が居て、ゲートウェイ装置１０３にはＰＨＳ端末１１０とＰＨＳ端末１０９が居ることを認識している。
【００６２】
このように、本実施の形態１によれば、ゲートウェイ装置が自分の電話番号を有してＰＨＳ端末とは別に登録要求をゲートキーパ装置に対して行うため、ゲートキーパ装置は、ＰＨＳ端末を死活監視から外してゲートウェイ装置単体の死活監視を行うことができる。これにより、ゲートウェイ装置は、ＰＨＳ端末を常に死活監視することなく移動した時のみ登録要求を行うことができる。従って、ゲートキーパ装置は、ＰＨＳ端末が移動した時にゲートウェイ装置から送信される登録要求を受信して、登録要求に含まれるＰＨＳ端末の電話番号とゲートウェイ装置のＩＰアドレスを関連付けて記憶して登録要求時毎に更新することにより、ＰＨＳ端末の位置情報を管理することができる。すなわち、ゲートキーパ装置によるＰＨＳ端末の位置情報の一元管理によって、従来はゲートウェイ装置がそれぞれＰＨＳ端末を管理することにより発生していた状態ずれを無くすことができる。
【００６３】
また、本実施の形態１においては、ゲートキーパ装置がＰＨＳ端末の位置情報を一元管理するため、ゲートウェイ装置は、位置登録をしたＰＨＳ端末の電話番号を記憶しているだけである。ゲートウェイ装置が記憶しているＰＨＳ端末の電話番号をゲートキーパ装置の最新の位置情報に合致するために、図２に示すように、位置情報管理部２０３が削除指示部２０３１を有し、図４に示すように、ステップＧ４２２において、ゲートキーパ装置１０１における位置情報管理部２０３の削除指示部２０３１が、ＰＨＳ端末１０９の移動元のゲートウェイ装置１０２に対して、電話番号“１０１”の削除指示（ＮＳＭ）を送信するようにしてもよい。これにより、ゲートウェイ装置においても、ＰＨＳ端末の他への移動を認識して自分が位置登録して位置登録記憶部３０２１に記憶しているＰＨＳ端末の電話番号を最新に更新することができる。
【００６４】
（実施の形態２）
図５は、本発明の実施の形態２に係る通信システムの構成の一例を示すシステム図である。
【００６５】
通信システム５００は、ゲートキーパ装置５０１、ゲートウェイ装置５０２及び５０３、基地局５０４及び５０５、ＩＰ電話機５０６、ＰＨＳ端末５０７及び５０８で構成されている。ゲートキーパ装置５０１とゲートウェイ装置５０２及び５０３とＩＰ電話機５０６は、ＩＰネットワークに接続されている。また、基地局５０４はゲートウェイ装置５０２に、基地局５０５はゲートウェイ装置５０３に、それぞれ接続されている。
【００６６】
図６は、本発明の実施の形態２に係るゲートキーパ装置の構成を示すブロック図である。本発明の実施の形態２においては、本実施の形態１と同じ構成要素には同じ参照符号を付されその説明が省略される。
【００６７】
ゲートキーパ装置５０１は、ネットワークＩ／Ｆ２０１、登録要求受信部２０２、位置情報管理部２０３、アドレス記憶部２０４、ＣＰＵ２０５、仮位置登録部６０１及び仮位置登録削除部６０２を備えている。仮位置登録部６０１は、ＰＨＳ端末が位置登録をしたゲートウェイ装置とは別のゲートウェイ装置に発信要求をした時に、ゲートウェイ装置から送信される登録要求（ＲＲＱ）に応じて仮の位置登録を行う。仮位置登録削除部６０２は、仮位置登録部６０１で仮位置登録されたＰＨＳ端末の通話が終了した時に、ゲートウェイ装置から送信される離脱要求（ＤＲＱ）を受けて仮位置登録を削除する。
【００６８】
図７は、本発明の実施の形態２に係るゲートウェイ装置の構成を示すブロック図である。本発明の実施の形態２においては、本実施の形態１と同じ構成要素には同じ参照符号を付されその説明が省略される。
【００６９】
ゲートウェイ装置５０２又は５０３は、ＰＨＳ端末Ｉ／Ｆ部３０１、位置登録要求受信部３０２、登録要求部３０３、ネットワークＩ／Ｆ３０４、ＣＰＵ３０５及び仮位置登録要求部７０１を備えている。仮位置登録要求部７０１は、位置登録をしたＰＨＳ端末とは別のＰＨＳ端末から発信要求を受信した時に、ゲートキーパ装置５０１に対して仮の位置登録要求としての登録要求（ＲＲＱ）を行う。
【００７０】
基地局５０４及び５０５は、ＰＨＳ端末との間で無線通信を確立してＰＨＳ端末とゲートウェイ装置との通信を可能とする。ＩＰ電話機５０６は、ＩＰネットワークに接続されて、ＰＨＳ端末や他のＩＰ電話機との通信を行う電話端末であり、電話番号“３００”を有している。ＰＨＳ端末５０７及び５０８は、それぞれ電話番号“１００”と“１０１”を有する移動可能な電話端末であり、基地局を介してゲートウェイ装置と通信してＩＰネットワークを使って他のＰＨＳ端末やＩＰ電話機との通信を行う。
【００７１】
次に、本発明の実施の形態２に係る通信システム５００の動作について、図５、図６、図７及び図８を参照して説明する。図８は、実施の形態２に係る通信システムの動作を説明するためのシーケンス図である。図８において、ＰＨＳ端末の動作はステップＴの符号を付して示され、ゲートウェイ装置及びＩＰ電話機の動作はステップＥの符号を付して示され、ゲートキーパ装置の動作はステップＧの符号を付して示される。
【００７２】
通信システム５００は、ＰＨＳ端末以外の装置がゲートキーパ装置５０３に登録されて動作している状態である。ＰＨＳ端末５０７は、基地局５０４の無線通信圏内に居て、基地局５０４を介してゲートウェイ装置５０２に対して位置登録要求を行う（ステップＴ８０１）。ゲートウェイ装置５０２では、位置登録要求受信部３０２が、ＰＨＳ端末Ｉ／Ｆ部３０１を介して位置登録要求を受信してＰＨＳ端末５０７の電話番号“１００”を位置登録記憶部３０２１に記憶するとともに、登録要求部３０３に位置登録要求とそのＰＨＳ端末５０７の電話番号“１００”を伝える。登録要求部３０３は、位置登録要求をしたＰＨＳ端末５０７の電話番号“１００”を登録要求（ＲＲＱ）に設定してゲートキーパ装置５０１に登録要求する（ステップＥ８０２）。
【００７３】
ゲートキーパ装置５０１の登録要求受信部２０２は、この登録要求を受信してＰＨＳ端末５０７の電話番号“１００”と登録要求してきたゲートウェイ装置５０２のＩＰアドレス“ａ．ａ．ａ．ａ”を位置情報管理部２０３に伝える。位置情報管理部２０３は、電話番号“１００”に対応するＩＰアドレスを“ａ．ａ．ａ．ａ”として記憶する。これにより、ＰＨＳ端末５０７は、ゲートウェイ装置５０２の管理下に居ると認識される。ゲートキーパ装置５０１は、登録要求に応答して登録確認（ＲＣＦ）をゲートウェイ装置５０２に返信する（ステップＧ８０３）。ゲートウェイ装置５０２は、ゲートキーパ装置５０１からの登録確認を受けてＰＨＳ端末５０７に対して位置登録受付を送信する（ステップＥ８０４）。こうして、ゲートウェイ装置５０２は、ＰＨＳ端末５０７の位置登録を完了して、位置登録を行ったＰＨＳ端末５０７の電話番号“１００”を記憶している。
【００７４】
同様に、ＰＨＳ端末５０８は、基地局５０５の無線通信圏内に居て、基地局５０５を介してゲートウェイ装置５０３に対して位置登録要求を行う（ステップＴ８０５）。ゲートウェイ装置５０３では、位置登録要求受信部３０２が、ＰＨＳ端末Ｉ／Ｆ部３０１を介して位置登録要求を受信してＰＨＳ端末５０８の電話番号“１０１”を位置登録記憶部３０２１に記憶するとともに、登録要求部３０３に位置登録要求とそのＰＨＳ端末５０８の電話番号“１０１”を伝える。登録要求部３０３は、位置登録要求をしたＰＨＳ端末５０８の電話番号“１０１”を登録要求（ＲＲＱ）に設定してゲートキーパ装置５０１に登録要求する（ステップＥ８０６）。
【００７５】
ゲートキーパ装置５０１の登録要求受信部２０２は、この登録要求を受信してＰＨＳ端末５０８の電話番号“１０１”と登録要求してきたゲートウェイ装置５０３のＩＰアドレス“ｂ．ｂ．ｂ．ｂ”を位置情報管理部２０３に伝える。位置情報管理部２０３は、電話番号“１０１”に対応するＩＰアドレスを“ｂ．ｂ．ｂ．ｂ”として記憶する。これにより、ＰＨＳ端末５０８は、ゲートウェイ装置５０３の管理下に居ると認識される。ゲートキーパ装置５０１は、登録要求に応答して登録確認（ＲＣＦ）をゲートウェイ装置５０３に返信する（ステップＧ８０７）。ゲートウェイ装置５０３は、ゲートキーパ装置５０１からの登録確認を受けてＰＨＳ端末５０８に対して位置登録受付を送信する（ステップＥ８０８）。こうして、ゲートウェイ装置５０３は、ＰＨＳ端末５０８の位置登録を完了して、位置登録を行ったＰＨＳ端末５０８の電話番号“１０１”を記憶している。
【００７６】
次に、ＰＨＳ端末５０７は、基地局５０４を介してゲートウェイ装置５０２から電話番号“３００”のＩＰ電話機５０６に発信しようとするが、ゲートウェイ装置５０２がビジーのため、基地局５０５の無線通信圏内でもあることから基地局５０５を介してゲートウェイ装置５０３からＩＰ電話機５０６に発信する。すなわち、ＰＨＳ端末５０７は、自分の電話番号“１００”と発信操作した電話番号“３００”を含むＣＣ呼設定をゲートウェイ装置５０３に送信する（ステップＴ８０９）。ゲートウェイ装置５０３では、ＰＨＳ端末Ｉ／Ｆ部３０１を介して位置登録要求受信部３０２がＣＣ呼設定を受信して、位置登録を行ったＰＨＳ端末からのＣＣ呼設定かどうかを記憶しているＰＨＳ端末の電話番号によって判断する。この場合、位置登録要求受信部３０２は、位置登録記憶部３０２１にＰＨＳ端末５０７の電話番号“１００”を記憶していないため、仮位置登録要求部７０１に対して仮の位置登録が必要なことを伝える。仮位置登録要求部７０１は、ＰＨＳ端末５０７の電話番号“１００”と仮位置登録であることを登録要求（ＲＲＱ）に設定して、ネットワークＩ／Ｆ３０４を介してゲートキーパ装置５０１に送信する（ステップＥ８１０）。
【００７７】
ゲートキーパ装置５０１では、ネットワークＩ／Ｆ２０１を介して登録要求受信部２０２が登録要求を受信して、仮位置登録であることから仮位置登録部６０１に対してＰＨＳ端末５０７の電話番号“１００”と登録要求してきたゲートウェイ装置５０３のＩＰアドレス“ｂ．ｂ．ｂ．ｂ”を伝える。仮位置登録部６０１は、電話番号“１００”に対応するＩＰアドレスを“ｂ．ｂ．ｂ．ｂ”として記憶する。これにより、ＰＨＳ端末５０７は、一時的にゲートウェイ装置５０３の管理下に居ると認識される。ゲートキーパ装置５０１は、登録要求に応答して登録確認（ＲＣＦ）をゲートウェイ装置５０３に返信する（ステップＧ８１１）。
【００７８】
次に、ゲートウェイ装置５０３は、ＰＨＳ端末５０７が発信した電話番号“３００”を参加要求（ＡＲＱ）に設定してゲートキーパ装置５０１に送信する（ステップＥ８１２）。ゲートキーパ装置５０１は、アドレス記憶部２０４から電話番号“３００”に対応するＩＰ電話機５０６のＩＰアドレス“ｃ．ｃ．ｃ．ｃ”を参加確認（ＡＣＦ）に設定してゲートウェイ装置５０３に返信する（ステップＧ８１３）。ゲートウェイ装置５０３は、受信したＩＰ電話機５０６のＩＰアドレス“ｃ．ｃ．ｃ．ｃ”を認識して、ＩＰ電話機５０６に対して呼設定（Ｓｅｔｕｐ）を送信する（ステップＥ８１４）。ＩＰ電話機５０６は、呼設定を受けて着信するために参加要求（ＡＲＱ）をゲートキーパ装置５０１に送信する（ステップＥ８１５）。ゲートキーパ装置５０１は、参加確認（ＡＣＦ）をＩＰ電話機５０６に返信する（ステップＧ８１６）。ＩＰ電話機５０６は、ゲートウェイ装置５０３に対して呼出（Ａｌｅｒｔ）を送信する（ステップＥ８１７）。ゲートウェイ装置５０３は、ＰＨＳ端末５０７に対してＣＣ呼出を送信する（ステップＥ８１８）。この時点で、ＩＰ電話機５０６は着信状態となり、ＰＨＳ端末５０７も相手の着信を認識する。
【００７９】
次に、ＩＰ電話機５０６において応答操作が行われると、ＩＰ電話機５０６は、応答（Ｃｏｎｎｅｃｔ）をゲートウェイ装置５０３に送信する（ステップＥ８１９）。ゲートウェイ装置５０３は、ＣＣ応答をＰＨＳ端末５０７に対して送信する（ステップＥ８２０）。こうして、ＰＨＳ端末５０７とＩＰ電話機５０６は通信中となる（ステップＴ８２１）。次に、ＩＰ電話機５０６において通話終了操作が行われると、ＩＰ電話機５０６は、解放完了（Ｒｅｌｃｏｍｐ）をゲートウェイ装置５０３に送信する（ステップＥ８２２）。ゲートウェイ装置５０３は、離脱要求（ＤＲＱ）をゲートキーパ装置５０１に送信する（ステップＥ８２３）。また、ＩＰ電話機５０６も、離脱要求（ＤＲＱ）をゲートキーパ装置５０１に送信する（ステップＥ８２４）。ゲートキーパ装置５０１は、離脱要求を受けて離脱確認（ＤＣＦ）をゲートウェイ装置５０３とＩＰ電話機５０６にそれぞれ返信する（ステップＧ８２５及びステップＧ８２６）。
【００８０】
この時、ゲートキーパ装置５０１では、仮位置登録削除部６０２が、ゲートウェイ装置５０３からの離脱要求を認識して、仮位置登録部６０１に記憶されているＰＨＳ端末５０７の電話番号“１００”と対応するゲートウェイ装置５０３のＩＰアドレス“ｂ．ｂ．ｂ．ｂ”を削除する。これにより、ＰＨＳ端末５０７は、正規に位置登録されて位置情報管理部２０３に記憶されているゲートウェイ装置５０２の管理下に戻ることとなる。
【００８１】
ゲートウェイ装置５０３は、離脱確認を受けてＰＨＳ端末５０７に対してＣＣ切断を送信する（ステップＥ８２７）。ＰＨＳ端末５０７は、ＣＣ解放をゲートウェイ装置５０３に送信する（ステップＴ８２８）。ゲートウェイ装置５０３は、ＣＣ解放完了をＰＨＳ端末５０７へ送信する（ステップＥ８２９）。こうして、ＰＨＳ端末５０７は、待機状態にもどる。
【００８２】
このように、本実施の形態２によれば、ＰＨＳ端末が発信する時において、このＰＨＳ端末を位置登録したゲートウェイ装置がビジーなどで使用できない場合に、別の基地局の無線通信圏を使用できる範囲にＰＨＳ端末が居れば、その基地局の接続されている別のゲートウェイ装置を利用して発信をすることができる。そのために、ゲートウェイ装置が、位置登録をしたＰＨＳ端末を記憶して、位置登録していないＰＨＳ端末からの発信要求を受信してゲートキーパ装置に対して仮の位置登録要求をして、ゲートキーパ装置が、仮の位置登録をして発信したＰＨＳ端末を仮位置登録要求したゲートウェイ装置の管理するＰＨＳ端末と認識して処理を行う。更に、本実施の形態２によれば、ゲートキーパ装置が、仮位置登録をして通話したＰＨＳ端末の通話終了時にゲートウェイ装置から送信される離脱要求を受けて、仮位置登録を削除するため、仮位置登録による状態ずれを防止することができる。
【００８３】
（実施の形態３）
図９は、本発明の実施の形態３に係るゲートキーパ装置の構成を示すブロック図である。本発明の実施の形態３においては、本実施の形態１又は本実施の形態２と同じ構成要素には同じ参照符号を付されその説明が省略される。
【００８４】
ゲートキーパ装置９００は、ネットワークＩ／Ｆ２０１、登録要求受信部９０２、位置情報管理部２０３、アドレス記憶部２０４、ＣＰＵ２０５、仮位置登録部６０１及び再位置登録指示部９０１を備えている。再位置登録指示部９０１は、仮位置登録部６０１で仮位置登録されたＰＨＳ端末の通話が終了してゲートウェイ装置から送信される離脱要求（ＤＲＱ）を受信して、そのＰＨＳ端末を正規に位置登録要求したゲートウェイ装置に対して再び位置登録要求をするように再位置登録指示を行う。登録要求受信部９０２は、通信システム５００に収容されている機器の登録要求（ＲＲＱ）を受信して、そのアドレスを位置情報管理部２０３及びアドレス記憶部２０４に伝えるとともに、再位置登録指示部９０２が再位置登録指示したことによる再位置登録応答のための登録要求（ＲＲＱ）を受信した場合は、仮位置登録部６０１の仮位置登録を削除する。
【００８５】
次に、本発明の実施の形態３に係る通信システム５００及びゲートキーパ装置９００の動作について、図５、図９、図１０及び図１１を参照して説明する。図１０及び図１１は、実施の形態３に係る通信システムの動作を説明するためのシーケンス図である。図１０は、ＰＨＳ端末が仮位置登録による通信中に正規の位置を動いていない場合のシーケンス図である。図１１は、ＰＨＳ端末が仮位置登録による通信中に位置を移動した場合のシーケンス図である。図１０及び図１１において、ＰＨＳ端末の動作はステップＴの符号を付して示され、ゲートウェイ装置及びＩＰ電話機の動作はステップＥの符号を付して示され、ゲートキーパ装置の動作はステップＧの符号を付して示される。
【００８６】
図１０に示すように、ＰＨＳ端末が仮位置登録による通信中に正規の位置を動いていない場合の動作について説明する。
【００８７】
通信システム５００は、実施の形態２において説明したように、ＰＨＳ端末５０７がゲートウェイ装置５０３に仮位置登録されてＩＰ電話機５０６と通信中の状態にある（ステップＴ１００１）。ＩＰ電話機５０６において通話終了操作が行われると、ＩＰ電話機５０６は、解放完了（Ｒｅｌｃｏｍｐ）をゲートウェイ装置５０３に送信する（ステップＥ１００２）。ゲートウェイ装置５０３は、離脱要求（ＤＲＱ）をゲートキーパ装置９００に送信する（ステップＥ１００３）。また、ＩＰ電話機５０６も、離脱要求（ＤＲＱ）をゲートキーパ装置９００に送信する（ステップＥ１００４）。ゲートキーパ装置９００は、離脱要求を受けて離脱確認（ＤＣＦ）をゲートウェイ装置５０３とＩＰ電話機５０６にそれぞれ返信する（ステップＧ１００５及びステップＧ１００６）。ゲートウェイ装置５０３は、離脱確認を受けてＰＨＳ端末５０７に対してＣＣ切断を送信する（ステップＥ１００７）。ＰＨＳ端末５０７は、ＣＣ解放をゲートウェイ装置５０３に送信する（ステップＴ１００８）。ゲートウェイ装置５０３は、ＣＣ解放完了をＰＨＳ端末５０７へ送信する（ステップＥ１００９）。こうして、ＰＨＳ端末５０７は、待機状態にもどる。この場合、ＰＨＳ端末５０７は、基地局５０４の無線通信圏内から移動していないため、通話が終了しても位置登録要求を改めて送信することはない。
【００８８】
ゲートキーパ装置９００では、ステップＥ１００３においてゲートウェイ装置５０３から離脱要求を受信すると、再位置登録指示部９０１が、ＰＨＳ端末５０７の通話終了を認識してＰＨＳ端末５０７の電話番号“１００”に基づいて正規に位置登録したゲートウェイ装置５０２のＩＰアドレス“ａ．ａ．ａ．ａ”を位置情報管理部２０３から読み出して、ゲートウェイ装置５０２に対して電話番号“１００”の再位置登録指示（ＮＳＭ）メッセージをネットワークＩ／Ｆ２０１を介して送信する（ステップＧ１０１０）。ゲートウェイ装置５０２は、再位置登録指示に従って、ＰＨＳ端末５０７の電話番号“１００”を登録要求（ＲＲＱ）に設定して再位置登録応答としてゲートキーパ装置９００に送信する（ステップＥ１０１１）。
【００８９】
ゲートキーパ装置９００では、登録要求受信部２０２が、この登録要求を受信してＰＨＳ端末５０７の電話番号“１００”と登録要求してきたゲートウェイ装置５０２のＩＰアドレス“ａ．ａ．ａ．ａ”を位置情報管理部２０３に伝えるとともに、仮位置登録部６０１に記憶されているＰＨＳ端末５０７の電話番号“１００”と対応するゲートウェイ装置５０３のＩＰアドレス“ｂ．ｂ．ｂ．ｂ”を削除する。位置情報管理部２０３は、記憶内容を更新して、電話番号“１００”に対応するＩＰアドレスを“ａ．ａ．ａ．ａ”として記憶する。ゲートキーパ装置９００は、再位置登録応答のための登録要求に応じて、ゲートウェイ装置５０２に対して登録確認（ＲＣＦ）を返信する（ステップＧ１０１２）。これにより、ＰＨＳ端末５０７は、再びゲートウェイ装置５０２の管理下に居ると認識される。
【００９０】
次に、図１１に示すように、ＰＨＳ端末が仮位置登録による通信中に位置を移動した場合の動作について説明する。
【００９１】
通信システム５００は、実施の形態２において説明したように、ＰＨＳ端末５０７がゲートウェイ装置５０３に仮位置登録されてＩＰ電話機５０６と通信中の状態にある（ステップＴ１１０１）。ステップＥ１１０２からステップＥ１１０９までは、図１０におけるステップＥ１００２からステップＥ１００９と同じであるので説明を省略する。ステップＧ１１１０において、ゲートキーパ装置９００は、仮位置登録によるＰＨＳ端末５０７の通話が終了したことにより正規の位置登録をしたゲートウェイ装置５０２に対して電話番号“１００”の再位置登録指示（ＮＳＭ）メッセージを送信する。
【００９２】
ステップＴ１１１１において、ＰＨＳ端末５０７は、基地局５０４の無線通信圏外に出て基地局５０５の無線通信圏内に移動することにより、ゲートウェイ装置５０３の管理下に入ることになる。従って、ＰＨＳ端末５０７は、基地局５０５を介してゲートウェイ装置５０３に対して位置登録要求を送信する（ステップＴ１１１２）。ゲートウェイ装置５０３は、ＰＨＳ端末５０７の電話番号“１００”を登録要求（ＲＲＱ）に設定してゲートキーパ装置９００に登録要求する（ステップＥ１１１３）。ゲートキーパ装置９００は、ステップＧ１１１０においてゲートウェイ装置５０２に対してＰＨＳ端末５０７の再位置登録指示をしているので、登録要求受信部９０２が別のゲートウェイ装置からのＰＨＳ端末５０７の位置登録を認めず、登録拒否（ＲＲＪ）をゲートウェイ装置５０３に返信する（ステップＧ１１１４）。ゲートウェイ装置５０３は、位置登録拒否をＰＨＳ端末５０７に送信する（ステップＥ１１１５）。ＰＨＳ端末５０７は、位置登録を拒否されたために一定時間後に自動的にリトライするまで待機状態となる。
【００９３】
ＰＨＳ端末５０７がリトライ待ちの間に、ゲートウェイ装置５０２は、再位置登録指示に応答してＰＨＳ端末５０７の電話番号“１００”を登録要求（ＲＲＱ）に設定して再位置登録応答としてゲートキーパ装置９００に送信する（ステップＥ１１１６）。ゲートキーパ装置９００は、位置情報を更新してゲートウェイ装置５０２に対して登録確認（ＲＣＦ）を返信する（ステップＧ１１１７）。これにより、ＰＨＳ端末５０７は、再びゲートウェイ装置５０２の管理下に居ると認識される。一定時間が経過して、ＰＨＳ端末５０７は、再び位置登録要求を基地局５０５を介してゲートウェイ装置５０３に送信する（ステップＴ１１１８）。ゲートウェイ装置５０３は、ＰＨＳ端末５０７の電話番号“１００”を登録要求（ＲＲＱ）に設定してゲートキーパ装置９００に登録要求する（ステップＥ１１１９）。
【００９４】
ゲートキーパ装置９００では、既に再位置登録指示に対する応答を受信しているので、登録要求受信部９０２が、この位置登録を受け入れてＰＨＳ端末５０７の電話番号“１００”と登録要求してきたゲートウェイ装置５０３のＩＰアドレス“ｂ．ｂ．ｂ．ｂ”を位置情報管理部２０３に伝える。位置情報管理部２０３は、記憶内容を更新して、電話番号“１００”に対応するＩＰアドレスを“ｂ．ｂ．ｂ．ｂ”として記憶する。ゲートキーパ装置９００は、登録確認（ＲＣＦ）をゲートウェイ装置５０３に返信する（ステップＧ１１２０）。これにより、ＰＨＳ端末５０７は、ゲートウェイ装置５０３の管理下に移動したと認識される。ゲートウェイ装置５０３は、位置登録受付をＰＨＳ端末５０７に送信する（ステップＥ１１２１）。
【００９５】
このように、本実施の形態３によれば、ゲートキーパ装置が、仮位置登録して通話したＰＨＳ端末の通話終了時にゲートウェイ装置から送信される離脱要求を受けて、正規の位置登録をしたゲートウェイ装置に対して再位置登録指示を送信し、このゲートウェイ装置から再位置登録応答を受信して仮位置登録を削除し、位置情報を更新するため、仮位置登録による位置情報の状態ずれを防止することができる。また、ゲートキーパ装置は、再位置登録指示中は別のゲートウェイ装置からの当該ＰＨＳ端末の位置登録要求を拒否して、再位置登録応答により正規の位置登録を行った後に別のゲートウェイ装置からの位置登録要求を受け付けるため、仮位置登録での通信中にＰＨＳ端末が移動して別のゲートウェイ装置から位置登録することによる位置情報の状態ずれを防ぐことができる。
【００９６】
【発明の効果】
以上説明したように、本発明によれば、ＴＴＣ標準ＪＴ−Ｈ３２３又はＩＴＵ−Ｔ勧告Ｈ．３２３に基づく通信システムにおいて、状態ずれを発生させずに移動端末の位置情報を管理することができる通信システム、ゲートウェイ装置、ゲートキーパ装置及び移動管理方法を提供することができる。
【図面の簡単な説明】
【図１】本発明の実施の形態１に係る通信システムの構成の一例を示すシステム図
【図２】本発明の実施の形態１に係るゲートキーパ装置の構成を示すブロック図
【図３】本発明の実施の形態１に係るゲートウェイ装置の構成を示すブロック図
【図４】実施の形態１に係る通信システムの動作を説明するためのシーケンス図
【図５】本発明の実施の形態２に係る通信システムの構成の一例を示すシステム図
【図６】本発明の実施の形態２に係るゲートキーパ装置の構成を示すブロック図
【図７】本発明の実施の形態２に係るゲートウェイ装置の構成を示すブロック図
【図８】実施の形態２に係る通信システムの動作を説明するためのシーケンス図
【図９】本発明の実施の形態３に係るゲートキーパ装置の構成を示すブロック図
【図１０】実施の形態３に係る通信システムの動作を説明するためのシーケンス図
【図１１】実施の形態３に係る通信システムの動作を説明するためのシーケンス図
【図１２】従来の通信システムの構成の一例を示すシステム図
【図１３】従来の通信システムの動作を説明するためのシーケンス図
【符号の説明】
１００、５００  通信システム
１０１、５０１、９００  ゲートキーパ装置
１０２、１０３、５０２、５０３  ゲートウェイ装置
１０４、１０５、１０６、１０７、５０４、５０５  基地局
１０８、１０９、１１０、５０７、５０８  ＰＨＳ端末
５０６  ＩＰ電話機
２０１  ネットワークＩ／Ｆ
２０２、９０２  登録要求受信部
２０３  位置情報管理部
２０４  アドレス記憶部
２０５  ＣＰＵ
３０１  ＰＨＳ端末Ｉ／Ｆ部
３０２  位置登録要求受信部
３０３  登録要求部
３０４  ネットワークＩ／Ｆ
３０５  ＣＰＵ
６０１  仮位置登録部
６０２  仮位置登録削除部
７０１  仮位置登録要求部
９０１  再位置登録指示部
２０３１  削除指示部
３０２１  位置登録記憶部
１０  通信システム
１１  ゲートキーパ装置
１２、１３  ゲートウェイ装置
１４、１５、１６、１７  基地局
１８、１９、２０  ＰＨＳ端末
【図１】
2005026936.tif 000003
【図２】
2005026936.tif 000004
【図３】
2005026936.tif 000005
【図４】
2005026936.tif 000006
【図５】
2005026936.tif 000007
【図６】
2005026936.tif 000008
【図７】
2005026936.tif 000009
【図８】
2005026936.tif 000010
【図９】
2005026936.tif 000011
【図１０】
2005026936.tif 000012
【図１１】
2005026936.tif 000013
【図１２】
2005026936.tif 000014
【図１３】
2005026936.tif 000015